(57)【要約】【課題】電子部品を基板の配線パターンに対して高い精度で位置合わせするとともに、電子部品を基板端面に強固に接合し、電気導通性を高めて接続抵抗を抑える。【解決手段】電子部品１３０の接続電極１３３と配線部１１３の端部１１３ｓとの間に、熱硬化性樹脂１４０ａと半田粒子１４０ｂとを含んだ自己凝集半田１４０を介在させるとともに、液晶パネル１１０の外周端面１１０ｓと電子部品１３０との間に、自己凝集半田１４０を構成する半田粒子１４０ｂよりも融点の低い仮接合材１６１を介在させる工程と、半田粒子１４０ｂの融点よりも低く、仮接合材１６１の融点よりも低い温度で仮接合材１６１を軟化して電子部品１３０と液晶パネル１１０の外周端面１１０ｓとを仮接合する工程と、自己凝集半田１４０および仮接合材１６１を加熱しつつ、配線部１１３の端部１１３ｓと接続電極１３３とを互いに接近する方向に加圧して接合する工程と、を備える。【選択図】図１０
2018056278.tif 000002
【特許請求の範囲】
【請求項１】
互いに対向配置した二枚の基板、および二枚の前記基板の間に設けられた配線を有した基板積層体の外周端面に、電子部品の電子部品側配線接続部を対向させた状態で、前記電子部品の前記電子部品側配線接続部と前記配線の端部に設けた基板側配線接続部との間に、熱硬化性樹脂と半田粒子とを含んだ自己凝集半田を介在させるとともに、前記基板積層体の前記外周端面と前記電子部品との間に、前記自己凝集半田を構成する前記半田粒子よりも融点の低い材料からなる仮接合材を介在させる工程と、
前記自己凝集半田を構成する前記半田粒子の融点よりも低く、前記仮接合材の融点よりも低い温度で前記仮接合材を軟化して前記電子部品と前記基板積層体の前記外周端面とを仮接合する工程と、
前記自己凝集半田および前記仮接合材を加熱しつつ、前記電子部品側配線接続部と前記基板側配線接続部とを互いに接近する方向に加圧して接合する工程と、
を備える、電子部品の実装方法。
【請求項２】
前記仮接合材は、前記基板積層体の前記外周端面と前記電子部品との間で、前記電子部品側配線接続部と前記基板側配線接続部との間に介在する前記自己凝集半田の周囲に配置される、請求項１に記載の電子部品の実装方法。
【請求項３】
前記仮接合材は、予め、前記基板積層体の前記外周端面および前記電子部品の少なくとも一方に設けられている、請求項１または２に記載の電子部品の実装方法。
【請求項４】
前記仮接合材は、前記基板積層体の前記外周端面において、二枚の前記基板の少なくとも一方に設けられている、請求項１から３のいずれか一項に記載の電子部品の実装方法。
【請求項５】
前記仮接合材は、前記自己凝集半田を構成する前記半田粒子よりも融点の低い樹脂材料からなる、請求項１から４のいずれか一項に記載の電子部品の実装方法。
【請求項６】
前記基板側配線接続部は、前記配線の端部に接続されるとともに、前記基板積層体の前記外周端面に沿って形成された導電性材料からなる接合パッドである、請求項１から５のいずれか一項に記載の電子部品の実装方法。
【請求項７】
前記基板側配線接続部は、二枚の前記基板の間に露出した前記配線の端部からなる、請求項１から５のいずれか一項に記載の電子部品の実装方法。
【請求項８】
前記自己凝集半田はペースト状で、前記基板側配線接続部に塗布する、請求項１から７のいずれか一項に記載の電子部品の実装方法。
【請求項９】
ペースト状の前記自己凝集半田は、スクリーン印刷、メッシュマスクを用いた印刷、及びインクジェット法のいずれか一つの方法により塗布する、請求項８に記載の電子部品の実装方法。
【請求項１０】
前記電子部品は、前記電子部品側配線接続部を有したフィルム状基板と、前記フィルム状基板上に実装されたチップ部品と、を備える、請求項１から９のいずれか一項に記載の電子部品の実装方法。
【請求項１１】
二枚の前記基板の少なくとも一方に、外周部に前記基板側配線接続部を有した前記配線が形成されている、請求項１から１０のいずれか一項に記載の電子部品の実装方法。
【請求項１２】
二枚の前記基板は、ガラス基板、樹脂基板、プリント基板の少なくとも一種である、請求項１から１１のいずれか一項に記載の電子部品の実装方法。
【請求項１３】
前記基板積層体と、前記基板積層体の前記外周端面に接合された前記電子部品とにより、液晶表示装置、有機発光ダイオード表示装置、プラズマディスプレイパネル表示装置の少なくとも一種の表示部を形成する、請求項１から１２のいずれか一項に記載の電子部品の実装方法。
【請求項１４】
互いに対向配置された二枚の基板、および二枚の前記基板の間に設けられた配線の端部に基板側配線接続部を有した基板積層体と、
前記基板積層体の外周端面に電子部品側配線接続部が対向配置された電子部品と、
前記基板積層体の前記外周端面と前記電子部品とを接合する接合部と、を備え、
前記接合部は、
前記基板側配線接続部と前記電子部品側配線接続部との間に介在する半田接合部と、
前記半田接合部以外の部分において前記基板積層体の前記外周端面と前記電子部品とを接着する樹脂接着部と、
前記基板積層体の前記外周端面と前記電子部品との間に設けられ、前記半田接合部よりも融点の低い材料からなる低融点接合部と、
を備える電子部品の接合構造。
【請求項１５】
前記基板側配線接続部は、前記配線の端部に接続されるとともに、前記基板積層体の前記外周端面に沿って形成された導電性材料からなる接合パッドである、請求項１４に記載の電子部品の接合構造。
【請求項１６】
前記基板側配線接続部は、二枚の前記基板の間に露出した前記配線の端部からなる、請求項１４に記載の電子部品の接合構造。
【請求項１７】
前記半田接合部の厚さは、２０μｍ以下である、請求項１４から１６のいずれか一項に記載の電子部品の接合構造。
【請求項１８】
複数の前記基板側配線接続部を有し、互いに隣接する前記基板側配線接続部の間隔は、１０〜１００μｍである、請求項１４から１７のいずれか一項に記載の電子部品の接合構造。
【請求項１９】
請求項１４から１８のいずれか一項に記載の電子部品の接合構造を備える基板装置。
【請求項２０】
請求項１９に記載の基板装置を備えるディスプレイ装置。
【請求項２１】
請求項２０に記載のディスプレイ装置を縦方向および横方向にそれぞれ複数隣接配置してなるディスプレイシステム。
【発明の詳細な説明】
【技術分野】
【０００１】
本発明は、基板端面への電子部品の実装方法、電子部品の接合構造、基板装置、ディスプレイ装置、ディスプレイシステムに関する。
【背景技術】
【０００２】
各種電子デバイスを構成する電子部品は、電子部品に設けられた端子部を、基板表面に形成された配線パターンに接合することで、基板の表面に実装されるのが一般的である。
しかし、このような構成では、基板が電子部品よりも外周側に張り出すことになり、電子デバイスの小型化、電子デバイスの筐体内のスペースの有効利用等の妨げとなる。
【０００３】
そこで、電子部品を、基板の表面の外周部において、表面に直交する端面に接続または実装することがある。基板の端面に電子部品を実装する関連技術として、基板の端面にコネクタを設け、このコネクタに電子部品を接続するものが知られている。
しかし、このような構成ではコネクタを設けるためのスペースが必要である。電子デバイスの小型化、筐体内のスペースの有効利用等を有効に実現しているとは言い切れない。
【０００４】
これに対し、例えば特許文献１には、基板の外周端面と電子部品との間に、異方性導電膜（Ａｎｉｓｏｔｒｏｐｉｃ  Ｃｏｎｄｕｃｔｉｖｅ  Ｆｉｌｍ；ＡＣＦ）を介在させて、基板側の配線パターンと電子部品側の配線接続部とを接続する方法が提案されている。異方性導電膜は、熱硬化性樹脂に導電性粒子を分散させたフィルムである。基板の外周端面と電子部品との間に挟み込んだ異方性導電膜の導電性粒子によって、基板側の配線パターンと電子部品側の配線接続部との電気的な導通がなされる。
【０００５】
しかし、特許文献１に開示された構成のように、異方性導電膜を用いた場合、導電性粒子が基板側の配線パターンと電子部品側の配線接続部とに物理的に接触することによって電気的な導通が確立されるが、この導電性粒子は熱硬化性樹脂中に分散しているため、接続抵抗が高くなりやすい。
また、基板と電子部品との間で、基板側の配線パターンと電子部品側の配線接続部との接合部以外の部分は絶縁されているが、この部分においても、異方性導電膜を構成する熱硬化性樹脂中に分散した導電性粒子が介在することになる。したがって、基板側の配線パターンと電子部品側の配線接続部との接合部以外の部分における絶縁性を阻害する要因にもなる。
【０００６】
また、近年、例えばディスプレイ装置においては、表示画像の高精細化が進み、これにともなって基板側の配線パターンのピッチ（間隔）も例えば１００μｍ以下と狭くなっている。このような狭ピッチの配線パターンを有する場合、異方性導電膜を用いることによる接続抵抗の増加、絶縁性の低下といった問題は、より顕著なものとなる。
そこで、電子部品を基板端面に強固に接合しつつ、電気導通性を高めて接続抵抗を抑えることが望まれる。
【先行技術文献】
【特許文献】
【０００７】
【特許文献１】特開２０１２−２２６０５８号公報
【発明の概要】
【発明が解決しようとする課題】
【０００８】
ところで、上記のように、狭ピッチの配線パターンを有する基板に、電子部品の配線接続部を接続する場合、基板側の配線パターンと電子部品側の配線接続部との高い位置合わせ精度が要求される。
しかし、基板側の配線パターンと電子部品側の配線接続部とを接合するときに、基板側の配線パターンと電子部品側の配線接続部とがずれてしまう場合がある。
【０００９】
本発明は、電子部品を基板の配線パターンに対して高い精度で位置合わせするとともに、電子部品を基板端面に強固に接合し、電気導通性を高めて接続抵抗を抑えることのできる電子部品の実装方法、電子部品の接合構造、基板装置、ディスプレイ装置、ディスプレイシステムを提供することを目的とする。
【課題を解決するための手段】
【００１０】
本発明は、互いに対向配置した二枚の基板、および二枚の前記基板の間に設けられた配線を有した基板積層体の外周端面に、電子部品の電子部品側配線接続部を対向させた状態で、前記電子部品の前記電子部品側配線接続部と前記配線の端部に設けた基板側配線接続部との間に、熱硬化性樹脂と半田粒子とを含んだ自己凝集半田を介在させるとともに、前記基板積層体の前記外周端面と前記電子部品との間に、前記自己凝集半田を構成する前記半田粒子よりも融点の低い材料からなる仮接合材を介在させる工程と、前記自己凝集半田を構成する前記半田粒子の融点よりも低く、前記仮接合材の融点よりも低い温度で前記仮接合材を軟化して前記電子部品と前記基板の前記外周端面とを仮接合する工程と、前記自己凝集半田および前記仮接合材を加熱しつつ、前記電子部品側配線接続部と前記基板側配線接続部とを互いに接近する方向に加圧して接合する工程と、を備える、電子部品の実装方法を提供する。
【００１１】
前記仮接合材は、前記基板積層体の前記外周端面と前記電子部品との間で、前記電子部品側配線接続部と前記基板側配線接続部との間に介在する前記自己凝集半田の周囲に配置されていてもよい。
【００１２】
前記仮接合材は、予め、前記基板積層体の前記外周端面および前記電子部品の少なくとも一方に設けられていてもよい。
【００１３】
前記仮接合材は、前記基板積層体の前記外周端面において、二枚の前記基板の少なくとも一方に設けられていてもよい。
【００１４】
前記仮接合材は、前記自己凝集半田を構成する前記半田粒子よりも融点の低い樹脂材料からなるのでもよい。
【００１５】
前記基板側配線接続部は、前記配線の端部に接続されるとともに、前記基板積層体の前記外周端面に沿って形成された導電性材料からなる接合パッドであってもよい。
【００１６】
前記基板側配線接続部は、二枚の前記基板の間に露出した前記配線の端部でもよい。
【００１７】
前記自己凝集半田はペースト状で、前記基板側配線接続部に塗布してもよい。
【００１８】
ペースト状の前記自己凝集半田は、スクリーン印刷、メッシュマスクを用いた印刷、及びインクジェット法のいずれか一つの方法により塗布してもよい。
【００１９】
前記電子部品は、前記電子部品側配線接続部を有したフィルム状基板と、前記フィルム状基板上に実装されたチップ部品と、を備えていてもよい。
【００２０】
二枚の前記基板の少なくとも一方に、外周部に前記基板側配線接続部を有した前記配線が形成されていてもよい。
【００２１】
二枚の前記基板は、ガラス基板、樹脂基板、プリント基板の少なくとも一種であってもよい。
【００２２】
前記基板積層体と、前記基板積層体の前記外周端面に接合された前記電子部品とにより、液晶表示装置、有機発光ダイオード表示装置、プラズマディスプレイパネル表示装置の少なくとも一種の表示部を形成してもよい。
【００２３】
本発明は、互いに対向配置された二枚の基板、および二枚の前記基板の間に設けられた配線の端部に基板側配線接続部を有した基板積層体と、前記基板積層体の外周端面に電子部品側配線接続部が対向配置された電子部品と、前記基板積層体の前記外周端面と前記電子部品とを接合する接合部と、を備え、前記接合部は、前記基板側配線接続部と前記電子部品側配線接続部との間に介在する半田接合部と、前記半田接合部以外の部分において前記基板積層体の前記外周端面と前記電子部品とを接着する樹脂接着部と、前記基板積層体の前記外周端面と前記電子部品との間に設けられ、前記半田接合部よりも融点の低い材料からなる低融点接合部と、を備える電子部品の接合構造を提供する。
【００２４】
前記基板側配線接続部は、前記配線の端部に接続されるとともに、前記基板積層体の前記外周端面に沿って形成された導電性材料からなる接合パッドであってもよい。
【００２５】
前記基板側配線接続部は、二枚の前記基板の間に露出した前記配線の端部でもよい。
【００２６】
前記半田接合部の厚さは、２０μｍ以下でもよい。
【００２７】
複数の前記基板側配線接続部を有し、互いに隣接する前記基板側配線接続部の間隔は、１０〜１００μｍでもよい。
【００２８】
本発明は、上記した電子部品の接合構造を備える基板装置を提供する。
【００２９】
本発明は、上記した基板装置を備えるディスプレイ装置を提供する。
【００３０】
本発明は、上記したディスプレイ装置を縦方向および横方向にそれぞれ複数隣接配置してなるディスプレイシステムを提供する。
【発明の効果】
【００３１】
本発明によれば、次のような効果を得ることができる。
【００３２】
すなわち、電子部品を基板の配線パターンに対して高い精度で位置合わせするとともに、電子部品を基板端面に強固に接合し、電気導通性を高めて接続抵抗を抑えることが可能となる。
【図面の簡単な説明】
【００３３】
【図１】本発明の第１の実施形態に係るディスプレイ装置の一部の構成を示す断面図である。
【図２】上記ディスプレイ装置の一部を示す平面図である。
【図３】上記ディスプレイ装置を構成する電子部品を示す図である。
【図４】外周端面に接合パッドを形成した液晶パネルを示す側面図である。
【図５】自己凝集半田を塗布した液晶パネルの外周端面に電子部品を押し付けた状態を示す平断面図である。
【図６】自己凝集半田の半田粒子が凝集し始めている様子を示す平断面図である。
【図７】自己凝集半田の半田粒子が自己凝集し、液晶パネルの外周端面と電子部品とが接合された状態を示す平断面図である。
【図８】上記ディスプレイ装置から構成したディスプレイシステムを示す斜視図である。
【図９】仮接合材によって液晶パネルの外周端面と電子部品とを仮接合した状態を示す断面図である。
【図１０】本発明の第２の実施形態に係るディスプレイ装置の一部の構成を示す断面図である。
【図１１】上記ディスプレイ装置の一部を示す平面図である。
【図１２】仮接合材によって液晶パネルの外周端面と電子部品とを仮接合した状態を示す断面図である。
【発明を実施するための形態】
【００３４】
以下、本発明について図面を参照して詳細に説明する。
【００３５】
（第１の実施形態）
図１は、本発明の第１の実施形態に係るディスプレイ装置の一部の構成を示す断面図である。図２は、上記ディスプレイ装置の一部を示す平面図である。図３は、上記ディスプレイ装置を構成する電子部品を示す図である。図４は、外周端面に接合パッドを形成した液晶パネルを示す側面図である。図５は、自己凝集半田を塗布した液晶パネルの外周端面に電子部品を押し付けた状態を示す平断面図である。図６は、自己凝集半田の半田粒子が凝集し始めている様子を示す平断面図である。図７は、自己凝集半田の半田粒子が自己凝集し、液晶パネルの外周端面と電子部品とが接合された状態を示す平断面図である。図８は、上記ディスプレイ装置から構成したディスプレイシステムを示す斜視図である。図９は、仮接合材によって液晶パネルの外周端面と電子部品とを仮接合した状態を示す断面図である。
図１、図２に示すように、ディスプレイ装置１００Ａは、液晶パネル（基板積層体、基板装置）１１０と、液晶パネル１１０に光を提供する光源部（図示無し）と、光源部で発した光を液晶パネル１１０の背面に導く光ガイド部（図示無し）と、を備えている。
【００３６】
液晶パネル１１０は、第一基板（基板）１１１と、第一基板１１１に対向配置された第二基板（基板）１１２と、第一基板１１１と第二基板１１２との間に配置された液晶層（図示無し）と、を備えている。
【００３７】
第一基板１１１，第二基板１１２は、それぞれガラス基板、樹脂基板、プリント基板のいずれか一つからなる。
第一基板１１１および第二基板１１２の少なくとも一方（図１の例では第一基板１１１）には、図示しないデータラインとゲートラインとからなる信号配線と、薄膜トランジスタ（Ｔｈｉｎ  Ｆｉｌｍ  Ｔｒａｎｓｉｓｔｏｒ）等を備えた複数本の配線部（配線）１１３が設けられている。配線部１１３は、第一基板１１１と第二基板１１２との間の液晶層の液晶を駆動し、液晶パネル１１０における表示画像（映像）を形成する。この配線部１１３は、例えば、アルミ（Ａｌ）、銅（Ｃｕ）等の低抵抗の導電性材料の単体による単層構造により形成することができる。また、配線部１１３は、アルミ（Ａｌ）、銅（Ｃｕ）等の低抵抗の導電性材料の単体と、クロム（Ｃｒ）、モリブデン（Ｍｏ）、チタン（Ｔｉ）等の材料の単体との積層構造により形成することもできる。
また、各配線部１１３の端部１１３ｅは、配線部１１３の引き出し部とされ、錫（Ｓｎ）、鉛（Ｐｂ）、銀（Ａｇ）、銅（Ｃｕ）等の半田と接合する導電性材料の単体による単層構造により形成することができる。また、配線部１１３の端部１１３ｅは、錫（Ｓｎ）、鉛（Ｐｂ）、亜鉛（Ｚｎ）、銀（Ａｇ）、銅（Ｃｕ）等の半田と接合する導電性材料の単体と、クロム（Ｃｒ）、モリブデン（Ｍｏ）、チタン（Ｔｉ）等の材料の単体との積層構造により形成することもできる。
【００３８】
このような液晶パネル１１０において、第一基板１１１の外周端面１１１ｓと、第二基板１１２の外周端面１１２ｓとは、同一面内に位置するよう設けられている。これら第一基板１１１の外周端面１１１ｓと第二基板１１２の外周端面１１２ｓとによって、液晶パネル１１０の表示面１１０ｆの外周部において表示面１１０ｆに直交する外周端面１１０ｓが形成されている。
【００３９】
液晶パネル１１０の外周端面１１１ｓには、電子部品１３０が実装されている。図１、図３に示すように、電子部品１３０は、実装用ＣＯＦ（Ｃｈｉｐ  ｏｎ  Ｆｉｌｍ）からなるフィルム状の配線基板（フィルム状基板）１３１と、配線基板１３１の表面１３１ｆに実装された、例えばＬＳＩ（Ｌａｒｇｅ  Ｓｃａｌｅ  Ｉｎｔｅｇｒａｔｉｏｎ）等のチップ部品１３２と、を備えている。配線基板１３１の表面１３１ｆには、液晶パネル１１０の各配線部１１３に接合される複数本の接続電極（電子部品側配線接続部）１３３が形成されている。この接続電極１３３は、例えば、錫（Ｓｎ）、鉛（Ｐｂ）、亜鉛（Ｚｎ）、銀（Ａｇ）、銅（Ｃｕ）等の半田と接合する導電性材料で形成される。
【００４０】
電子部品１３０を実装するため、図１、図４に示すように、第一基板１１１と第二基板１１２との間に位置する各配線部１１３の端部１１３ｅに、接合パッド（基板側配線接続部）２００が接合されている。接合パッド２００は、液晶パネル１１０の外周端面１１０ｓに沿って、第一基板１１１側と第二基板１１２側とにそれぞれ延びた帯状に形成されている。この接合パッド２００は、例えば、錫（Ｓｎ）、鉛（Ｐｂ）、亜鉛（Ｚｎ）、銀（Ａｇ）、銅（Ｃｕ）等の半田と接合する導電性材料で形成される。
接合パッド２００は、好ましくは銀（Ａｇ）、銅（Ｃｕ）のペースト、あるいはナノインクを用い、スクリーン印刷、メッシュマスクを用いた印刷、材料を微少吐出できるインクジェットなどを用いて形成する。接合パッド２００は、例えば、幅１０〜１００μｍ、長さ０．１〜１ｍｍ、厚さ１０〜１０００ｎｍで形成するのが好ましい。
【００４１】
図１、図２に示すように、電子部品１３０は、液晶パネル１１０の外周端面１１０ｓに設けられた接合パッド２００に、自己凝集半田１４０を用いて半田接合されている。図５に示すように、自己凝集半田１４０は、熱硬化性樹脂１４０ａと、熱硬化性樹脂１４０ａ中に、銅（Ｃｕ）、錫（Ｓｎ）等を含む半田合金材料からなる半田粒子１４０ｂを均一に分散させたペースト状の材料である。熱硬化性樹脂１４０ａは、半田粒子１４０ｂよりも融点の低い材料から形成されている。このような熱硬化性樹脂１４０ａを形成する材料としては、例えば、９０℃〜１５０℃の融点を有する、エポキシ系樹脂、ウレタン系樹脂、アクリル系樹脂、シリコーン系樹脂、フェノール系樹脂、メラミン系樹脂、アルキド系樹脂、尿素樹脂、不飽和ポリエステル樹脂等により形成することができる。ここで、熱硬化性樹脂１４０ａを形成する材料は、融点以上となったときに、流動性を帯びるものを用いる。
このような自己凝集半田１４０としては、例えば、商品名「リフロー実装異方性導電ペーストエポウェル  ＡＰシリーズ」（積水化学工業株式会社製）、商品名「Ｌｏｗ−Ｔｅｍｐｅｒａｔｕｒｅ−Ｃｕｒａｂｌｅ  ｃｏｎｄｕｃｔｉｖｅ」  （日立化成株式会社製）等を好適に用いることができる。
【００４２】
また、液晶パネル１１０の外周端面１１０ｓと電子部品１３０とを接合する自己凝集半田１４０の上下（周囲）には、それぞれ、自己凝集半田１４０に含まれる半田粒子１４０ｂを形成する半田合金材料の融点よりも低い融点を有する低融点樹脂材料からなる樹脂接合部（低融点接合部）１６０が形成されている。この樹脂接合部１６０は、例えば、９０℃〜１５０℃の融点を有する、エポキシ系樹脂、ウレタン系樹脂、アクリル系樹脂、シリコーン系樹脂、フェノール系樹脂、メラミン系樹脂、アルキド系樹脂、尿素樹脂、不飽和ポリエステル樹脂等により形成することができる。なお、この樹脂接合部１６０を形成する低融点樹脂材料は、後述するように、電子部品１３０を液晶パネル１１０の外周端面１１０ｓに仮接合した後に、自己凝集半田１４０による半田接合を行うために樹脂接合部１６０の融点以上に再度加熱したときに、熱硬化して、電子部品１３０と液晶パネル１１０の外周端面１１０ｓとの接合状態を維持するものを用いる。
【００４３】
このような自己凝集半田１４０を用いて、電子部品１３０を液晶パネル１１０の外周端面１１０ｓに設けられた接合パッド２００に接合するには、自己凝集半田１４０を、液晶パネル１１０の外周端面１１０ｓに塗布する。これには、例えば、スクリーン印刷、メッシュマスクを用いた印刷、自己凝集半田１４０を微少吐出できるインクジェット法等のパターン形成技術を用いることができる。
【００４４】
また、図４、図９に示すように、液晶パネル１１０の外周端面１１０ｓにおいて、仮接合材１６１を、自己凝集半田１４０の塗布領域の上下に塗布する。このとき、仮接合材１６１は、液晶パネル１１０の外周端面１１０ｓと電子部品１３０とが対向する方向における厚さが、自己凝集半田１４０の塗布厚さよりも大きくなるようにするのが好ましい。後述する仮接合の際に、液晶パネル１１０の外周端面１１０ｓに設けられた仮接合材１６１が、電子部品１３０に確実に突き当たるようにするためである。
また、仮接合材１６１は、自己凝集半田１４０を熱圧着したときに塗布領域よりも上下に広がるため、この広がりを考慮して自己凝集半田１４０と干渉しない位置に設けるのが好ましい。
また、仮接合材１６１は、自己凝集半田１４０の塗布領域の上下に設けたが、そのいずれか一方のみであってもよい。また、仮接合材１６１は、自己凝集半田１４０の塗布領域の全周を囲うように設けてもよい。
また、仮接合材１６１は、液晶パネル１１０の表示面１１０ｆに沿った方向に連続させて線状に設けてもよいし、液晶パネル１１０の表示面１１０ｆに沿った方向に間欠的に点状に設けてもよい。この仮接合材１６１は、最終的に上記樹脂接合部１６０を形成するものである。したがって、仮接合材１６１は、上記樹脂接合部１６０と同じ材料である。
仮接合材１６１は、自己凝集半田１４０の塗布に先立って、液晶パネル１１０の製造時に、予め設けておいてもよいし、液晶パネル１１０に電子部品を接合する際、自己凝集半田１４０の塗布の前後に設けてもよい。また、仮接合材１６１は、予め所定形状に成形したものを液晶パネル１１０の外周端面１１０ｓに貼り付けるようにしてもよい。
【００４５】
自己凝集半田１４０および仮接合材１６１の塗布後、液晶パネル１１０の外周端面１１０ｓに設けられた接合パッド２００と、電子部品１３０の配線基板１３１に形成された接続電極１３３とを、所定の精度で位置合わせする。
そして、異方性導電膜による接合法で用いるのと同様の熱圧着装置を使用し、仮接合材１６１を、半田粒子１４０ｂの融点よりも低く、仮接合材１６１の融点よりも低い温度で加熱する。すると、自己凝集半田１４０は溶融せず、仮接合材１６１が軟化する。
この後、仮接合材１６１の加熱を中止する。仮接合材１６１の温度が低下すると、仮接合材１６１が硬化し、液晶パネル１１０の外周端面１１０ｓに設けられた接合パッド２００と、電子部品１３０の配線基板１３１に形成された接続電極１３３とが位置合わせされた状態で、電子部品１３０が液晶パネル１１０の外周端面１１０ｓに仮接合される。
【００４６】
次いで、異方性導電膜による接合法で用いるのと同様の熱圧着装置を使用し、液晶パネル１１０の外周端面１１０ｓと電子部品１３０とを互いに接近する方向に加圧しながら加熱する。このようにして、自己凝集半田１４０に、所定の圧力、温度、時間を印加する。一例を挙げると、自己凝集半田１４０に、１５０℃で１５分間、所定の圧力を印加する。
加えられた熱により、図６に示すように、自己凝集半田１４０を構成する熱硬化性樹脂１４０ａ及び半田粒子１４０ｂが溶融し、流動性を帯びた熱硬化性樹脂１４０ａ中で、半田粒子１４０ｂ同士が凝集しつつ、接合パッド２００，接続電極１３３に引き寄せられていく。最終的に、図７に示すように、半田粒子１４０ｂは、金属からなる接合パッド２００と接続電極１３３との間に自己凝集して金属結合する。これによって、液晶パネル１１０の接合パッド２００と電子部品１３０の接続電極１３３とが、溶融して凝集した多数の半田粒子１４０ｂからなる半田金属（半田接合部）Ｈによって半田付けされる。また、互いに隣接する接合パッド２００同士、接続電極１３３同士の間には、溶融した熱硬化性樹脂１４０ａが集まり、これによって、電子部品１３０の配線基板１３１と液晶パネル１１０の外周端面１１０ｓとが熱硬化性樹脂１４０ａからなる絶縁樹脂（樹脂接着部）Ｐによって接着される。
このような熱圧着後、放冷することで、液晶パネル１１０の外周端面１１０ｓへの電子部品１３０の接合が完了する。
また、上記のような熱圧着による自己凝集半田１４０の加熱および加圧過程で、仮接合材１６１は、仮接合材１６１の融点以上に加熱されて溶融した後、放冷によって硬化する。このとき、融点以上に加熱された仮接合材１６１は、熱硬化して、電子部品１３０と液晶パネル１１０の外周端面１１０ｓとの接合状態を維持している。
【００４７】
このようにして、液晶パネル１１０の外周端面１１０ｓに設けられた接合パッド２００と、電子部品１３０の配線基板１３１に形成された接続電極１３３とが、自己凝集半田１４０の半田金属Ｈによって選択的に金属結合され、電気的に接続される。また、液晶パネル１１０の外周端面１１０ｓと、電子部品１３０の配線基板１３１とは、半田金属Ｈによる金属結合と、絶縁樹脂Ｐによる接着とによって、機械的に接合されている。
このようにして、半田金属Ｈと絶縁樹脂Ｐによって機械的に接合された液晶パネル１１０の外周端面１１０ｓと電子部品１３０の配線基板１３１とは、例えば５００ｇ／ｃｍ以上の引張強度を有する。
また、電子部品１３０の配線基板１３１と液晶パネル１１０の外周端面１１０ｓとは、仮接合材１６１が硬化することによって形成される樹脂接合部１６０によっても、機械的に接合される。
【００４８】
ここで、液晶パネル１１０の外周端面１１０ｓに設けられた接合パッド２００と、電子部品１３０の配線基板１３１に形成された接続電極１３３との間に形成される半田金属Ｈの厚さは、例えば、２０μｍ以下とするのが好ましい。
また、液晶パネル１１０の外周端面１１０ｓに設けられた接合パッド２００、電子部品１３０の配線基板１３１に形成された接続電極１３３の電極ピッチは、１０〜１００μｍとすることができる。
【００４９】
図１、図２に示すように、このようにして電子部品１３０が実装された液晶パネル１１０の外周部には、ディスプレイ装置１００Ａの外枠を形成するベゼル１５０が設けられている。ベゼル１５０は、液晶パネル１１０の外周端面１１０ｓの外周側に位置する側板部１５０ａと、側板部１５０ａの一端から液晶パネル１１０の内側に向けて延び、液晶パネル１１０の表示面１１０ｆの外周部に沿う前板部１５０ｂと、を少なくとも備える。電子部品１３０は、このようなベゼル１５０の側板部１５０ａと液晶パネル１１０の外周端面１１０ｓとの間に収められている。
ここで、上記したように、液晶パネル１１０の外周端面１１０ｓと電子部品１３０の配線基板１３１とが接合されることで、ベゼル１５０は、その幅ｗを小さくすることができる。すなわち、ディスプレイ装置１００Ａは、ベゼル１５０の幅ｗが小さい狭額縁のものとすることができる。
【００５０】
さらに、図８に示すように、上記したような狭額縁のディスプレイ装置１００Ａを複数用いることで、ディスプレイシステム１を構成することができる。このディスプレイシステム１は、複数のディスプレイ装置１００Ａを、上下方向及び横方向に隣接させて並設したもので、これら複数のディスプレイ装置１００Ａによって形成される表示領域Ａに、画像や映像を表示する。
このようなディスプレイシステム１は、各ディスプレイ装置１００Ａが狭額縁であるため、上下方向又は横方向で互いに隣り合うディスプレイ装置１００Ａ同士の隙間を狭くでき、表示領域Ａにおいて、違和感の少ない画像や映像の表示を行うことが可能となる。
【００５１】
上述したような電子部品１３０の実装方法によれば、互いに対向配置した第一基板１１１，第二基板１１２、および第一基板１１１，第二基板１１２の間に設けられた配線部１１３の端部１１３ｅに接合パッド２００を有した液晶パネル１１０の外周端面１１０ｓに、電子部品１３０の接続電極１３３を対向させた状態で、電子部品１３０の接続電極１３３と接合パッド２００との間に、熱硬化性樹脂１４０ａと半田粒子１４０ｂとを含んだ自己凝集半田１４０を介在させるとともに、液晶パネル１１０の外周端面１１０ｓと電子部品１３０との間に、自己凝集半田１４０を構成する半田粒子１４０ｂよりも融点の低い材料からなる仮接合材１６１を介在させる工程と、半田粒子１４０ｂの融点よりも低く、仮接合材１６１の融点よりも低い温度で仮接合材１６１を軟化して電子部品１３０と液晶パネル１１０の外周端面１１０ｓとを仮接合する工程と、自己凝集半田１４０および仮接合材１６１を加熱しつつ、接続電極１３３と接合パッド２００とを互いに接近する方向に加圧して接合する工程と、を備えている。
このような構成によれば、自己凝集半田１４０による半田付けに先立ち、仮接合材１６１によって電子部品１３０と液晶パネル１１０の外周端面１１０ｓとを仮接合するので、電子部品１３０の接続電極１３３と接合パッド２００とを、高い精度で位置合わせすることができる。
このように、仮接合材１６１によって電子部品１３０と液晶パネル１１０とを仮接合した後に、自己凝集半田１４０による接合を行うことで、電子部品１３０と液晶パネル１１０との接合作業を効率よく行うことができる。
また、仮接合材１６１による仮接合を行った後、自己凝集半田１４０による接合前であれば、再度加熱を行って仮接合材１６１を軟化させることで、電子部品１３０の接続電極１３３と接合パッド２００との位置合わせをやり直すことができる。
【００５２】
また、電子部品１３０の接続電極１３３と接合パッド２００との間には、自己凝集半田１４０を構成する半田粒子１４０ｂが凝集して半田付けがなされる。これによって、異方性導電膜を用いる場合に比較し、電子部品１３０の接続電極１３３と接合パッド２００との間に介在する導電性材料の量が多くなり、電子部品１３０の接続電極１３３と接合パッド２００との間の接続抵抗が高くなるのを抑えることができる。
また、電子部品１３０と液晶パネル１１０の外周端面１１０ｓとは、自己凝集半田１４０の半田粒子１４０ｂからなる半田金属Ｈによる金属結合と、熱硬化性樹脂１４０ａからなる絶縁樹脂Ｐによる接着とによって、機械的に接合されている。さらに、自己凝集半田１４０の周囲において、電子部品１３０と液晶パネル１１０の外周端面１１０ｓとが、樹脂接合部１６０（仮接合材１６１）によっても接合される。したがって、電子部品１３０と液晶パネル１１０とを強固に接合することが可能となる。
【００５３】
また、上述したような電子部品１３０の接合構造、液晶パネル１１０、ディスプレイ装置１００Ａ、ディスプレイシステム１によれば、互いに対向配置された第一基板１１１，第二基板１１２、および第一基板１１１，第二基板１１２の間に設けられた配線部１１３の端部１１３ｅに接合パッド２００を有した液晶パネル１１０と、液晶パネル１１０の外周端面１１０ｓに接続電極１３３が対向配置された電子部品１３０と、液晶パネル１１０の外周端面１１０ｓと電子部品１３０とを接合する接合部Ｊと、を備え、この接合部Ｊは、接合パッド２００と接続電極１３３との間に介在する半田金属Ｈと、半田金属Ｈ以外の部分において液晶パネル１１０の外周端面１１０ｓと電子部品１３０とを接着する絶縁樹脂Ｐと、液晶パネル１１０の外周端面１１０ｓと電子部品１３０との間に、半田金属Ｈよりも融点の低い材料からなる樹脂接合部１６０と、を備える。
このような構成によれば、電子部品１３０を液晶パネル１１０の外周端面１１０ｓに強固に接合しつつ、電気導通性を高めて接続抵抗を抑えることが可能となる。
【００５４】
（第２の実施形態）
次に、本発明の第２の実施形態について説明する。なお、以下に説明する第２の実施形態においては、上記第１の実施形態と共通する構成については図中に同符号を付してその説明を省略する。
図１０は、本発明の第２の実施形態に係るディスプレイ装置の一部の構成を示す断面図である。図１１は、上記ディスプレイ装置の一部を示す平面図である。図１２は、仮接合材によって液晶パネルの外周端面と電子部品とを仮接合した状態を示す断面図である。
図１０、図１１に示すように、ディスプレイ装置１００Ｂは、液晶パネル（基板積層体、基板装置）１１０と、液晶パネル１１０に光を提供する光源部（図示無し）と、光源部で発した光を液晶パネル１１０の背面に導く光ガイド部（図示無し）と、を備えている。
【００５５】
液晶パネル１１０は、第一基板（基板）１１１と、第一基板１１１に対向配置された第二基板（基板）１１２と、第一基板１１１と第二基板１１２との間に配置された液晶層（図示無し）と、を備えている。
【００５６】
第一基板１１１，第二基板１１２は、それぞれガラス基板、樹脂基板、プリント基板のいずれか一つからなる。
第一基板１１１および第二基板１１２の少なくとも一方（図１の例では第一基板１１１）には、図示しないデータラインとゲートラインとからなる信号配線と、薄膜トランジスタ（Ｔｈｉｎ  Ｆｉｌｍ  Ｔｒａｎｓｉｓｔｏｒ）等を備えた配線部（配線）１１３が設けられている。配線部１１３は、第一基板１１１と第二基板１１２との間の液晶層の液晶を駆動し、液晶パネル１１０における表示画像（映像）を形成する。この配線部１１３は、アルミ（Ａｌ）、銅（Ｃｕ）等の低抵抗の導電性材料の単体による単層構造により形成することができる。また、配線部１１３は、アルミ（Ａｌ）、銅（Ｃｕ）等の低抵抗の導電性材料の単体と、クロム（Ｃｒ）、モリブデン（Ｍｏ）、チタン（Ｔｉ）等の材料の単体との積層構造により形成することもできる。
また、各配線部１１３の端部１１３ｓは、配線部１１３の引き出し部とされ、錫（Ｓｎ）、鉛（Ｐｂ）、銀（Ａｇ）、銅（Ｃｕ）等の半田と接合する導電性材料の単体による単層構造により形成することができる。また、配線部１１３の端部１１３ｓは、錫（Ｓｎ）、鉛（Ｐｂ）、亜鉛（Ｚｎ）、銀（Ａｇ）、銅（Ｃｕ）等の半田と接合する導電性材料の単体と、クロム（Ｃｒ）、モリブデン（Ｍｏ）、チタン（Ｔｉ）等の材料の単体との積層構造により形成することもできる。
【００５７】
このような液晶パネル１１０において、第一基板１１１の外周端面１１１ｓと、第二基板１１２の外周端面１１２ｓとは、同一面内に位置するよう設けられている。これら第一基板１１１の外周端面１１１ｓと第二基板１１２の外周端面１１２ｓとによって、液晶パネル１１０の表示面１１０ｆの外周部において表示面１１０ｆに直交する外周端面１１０ｓが形成されている。
この液晶パネル１１０の外周端面１１０ｓには、配線部１１３の端部（基板側配線接続部）１１３ｓが、第一基板１１１の外周端面１１１ｓと第二基板１１２の外周端面１１２ｓと同一面に露出している。
【００５８】
液晶パネル１１０の外周端面１１１ｓには、電子部品１３０が実装されている。電子部品１３０は、実装用ＣＯＦ（Ｃｈｉｐ  ｏｎ  Ｆｉｌｍ）からなるフィルム状の配線基板（フィルム状基板）１３１と、配線基板１３１の表面１３１ｆに実装された、例えばＬＳＩ（Ｌａｒｇｅ  Ｓｃａｌｅ  Ｉｎｔｅｇｒａｔｉｏｎ）等のチップ部品１３２と、を備えている。配線基板１３１の表面１３１ｆには、液晶パネル１１０の各配線部１１３に接合される複数本の接続電極（電子部品側配線接続部）１３３が形成されている。この接続電極１３３は、例えば、錫（Ｓｎ）、鉛（Ｐｂ）、亜鉛（Ｚｎ）、銀（Ａｇ）、銅（Ｃｕ）等の半田と接合する導電性材料で形成される。また、接続電極１３３は、基板側配線接続部１１３ｓよりも、第一基板１１１，第二基板１１２が対向する方向に長く形成されている。
【００５９】
電子部品１３０は、液晶パネル１１０の外周端面１１０ｓに露出した配線部１１３の端部１１３ｓに、自己凝集半田１４０を用いて半田接合されている。図５に示したように、自己凝集半田１４０は、熱硬化性樹脂１４０ａと、熱硬化性樹脂１４０ａ中に、銅（Ｃｕ）、錫（Ｓｎ）等を含む半田合金材料からなる半田粒子１４０ｂを均一に分散させたペースト状等の材料である。熱硬化性樹脂１４０ａは、半田粒子１４０ｂよりも融点の低い材料から形成されている。このような熱硬化性樹脂１４０ａを形成する材料としては、例えば、９０℃〜１５０℃の融点を有する、エポキシ系樹脂、ウレタン系樹脂、アクリル系樹脂、シリコーン系樹脂、フェノール系樹脂、メラミン系樹脂、アルキド系樹脂、尿素樹脂、不飽和ポリエステル樹脂等により形成することができる。ここで、熱硬化性樹脂１４０ａを形成する材料は、融点以上となったときに、流動性を帯びるものを用いる。
このような自己凝集半田１４０としては、例えば、商品名「リフロー実装異方性導電ペーストエポウェル  ＡＰシリーズ」（積水化学工業株式会社製）、商品名「Ｌｏｗ−Ｔｅｍｐｅｒａｔｕｒｅ−Ｃｕｒａｂｌｅ  ｃｏｎｄｕｃｔｉｖｅ」  （日立化成株式会社製）等を好適に用いることができる。
【００６０】
また、液晶パネル１１０の外周端面１１０ｓと電子部品１３０とを接合する自己凝集半田１４０の上下には、それぞれ、自己凝集半田１４０の融点よりも低い融点を有する低融点樹脂材料からなる樹脂接合部１６０が形成されている。この樹脂接合部１６０は、例えば、９０℃〜１５０℃の融点を有する、エポキシ系樹脂、ウレタン系樹脂、アクリル系樹脂、シリコーン系樹脂、フェノール系樹脂、メラミン系樹脂、アルキド系樹脂、尿素樹脂、不飽和ポリエステル樹脂等により形成することができる。なお、この樹脂接合部１６０を形成する低融点樹脂材料は、後述するように、電子部品１３０を液晶パネル１１０の外周端面１１０ｓに仮接合した後に、自己凝集半田１４０による半田接合を行うために樹脂接合部１６０の融点以上に再度加熱したときに、熱硬化して、電子部品１３０と液晶パネル１１０の外周端面１１０ｓとの接合状態を維持するものを用いる。
【００６１】
このような自己凝集半田１４０を用いて、電子部品１３０を液晶パネル１１０の外周端面１１０ｓに露出した端部１１３ｓにハンダ付けするには、自己凝集半田１４０を、液晶パネル１１０の外周端面１１０ｓに塗布する。これには、例えば自己凝集半田１４０がペースト状である場合、スクリーン印刷、メッシュマスクを用いた印刷、自己凝集半田１４０を微少吐出できるインクジェット法等のパターン形成技術を用いることができる。
【００６２】
また、図１２に示すように、液晶パネル１１０の外周端面１１０ｓにおいて、仮接合材１６１を、自己凝集半田１４０の塗布領域の上下に塗布する。このとき、仮接合材１６１は、液晶パネル１１０の外周端面１１０ｓと電子部品１３０とが対向する方向における厚さが、自己凝集半田１４０の塗布厚さよりも大きくなるようにするのが好ましい。後述する仮接合の際に、液晶パネル１１０の外周端面１１０ｓに設けられた仮接合材１６１が、電子部品１３０に確実に突き当たるようにするためである。
また、仮接合材１６１は、自己凝集半田１４０を熱圧着したときに塗布領域よりも上下に広がるため、この広がりを考慮して自己凝集半田１４０と干渉しない位置に設けるのが好ましい。また、仮接合材１６１は、図１２に示したように電子部品１３０の接続電極１３３と重なる位置に設けてもよいし、接続電極１３３とは重ならない位置に設けてもよい。
また、仮接合材１６１は、自己凝集半田１４０の塗布領域の上下に位置する、第一基板１１１の外周端面１１１ｓと、第二基板１１２の外周端面１１２ｓとに設けたが、そのいずれか一方のみであってもよい。また、仮接合材１６１は、自己凝集半田１４０の塗布領域の全周を囲うように設けてもよい。
また、仮接合材１６１は、液晶パネル１１０の表示面１１０ｆに沿った方向に連続させて線状に設けてもよいし、液晶パネル１１０の表示面１１０ｆに沿った方向に間欠的に点状に設けてもよい。
仮接合材１６１は、最終的に上記樹脂接合部１６０を形成するものである。したがって、仮接合材１６１は、上記樹脂接合部１６０と同じ材料である。この仮接合材１６１は、自己凝集半田１４０の塗布に先立って、液晶パネル１１０の製造時に、予め設けておいてもよいし、液晶パネル１１０に電子部品を接合する際、自己凝集半田１４０の塗布の前後に設けてもよい。また、仮接合材１６１は、予め所定形状に成形したものを液晶パネル１１０の外周端面１１０ｓに貼り付けるようにしてもよい。
【００６３】
自己凝集半田１４０および仮接合材１６１の塗布後、液晶パネル１１０の外周端面１１０ｓに露出した配線部１１３の端部１１３ｓと、電子部品１３０の配線基板１３１に形成された接続電極１３３とを、所定の精度で位置合わせする。
そして、異方性導電膜による接合法で用いるのと同様の熱圧着装置を使用し、仮接合材１６１を、半田粒子１４０ｂの融点よりも低く、仮接合材１６１の融点よりも低い温度で加熱する。すると、自己凝集半田１４０は溶融せず、仮接合材１６１が軟化する。
この後、仮接合材１６１の加熱を中止する。仮接合材１６１の温度が低下すると、仮接合材１６１が硬化し、液晶パネル１１０の外周端面１１０ｓに露出した配線部１１３の端部１１３ｓと、電子部品１３０の配線基板１３１に形成された接続電極１３３とが位置合わせされた状態で、電子部品１３０が液晶パネル１１０の外周端面１１０ｓに仮接合される。
【００６４】
次いで、異方性導電膜による接合法で用いるのと同様の熱圧着装置を使用し、液晶パネル１１０の外周端面１１０ｓと電子部品１３０とを互いに接近する方向に加圧しながら加熱する。このようにして、自己凝集半田１４０に、所定の圧力、温度、時間を印加する。一例を挙げると、液晶パネル１１０の外周端面１１０ｓに露出した配線部１１３の端部１１３ｓと、電子部品１３０の配線基板１３１に形成された接続電極１３３とを、１５０℃で加熱しながら、１５分間、所定の圧力で圧着する。
図６、図７に示すように、加熱により、自己凝集半田１４０を構成する熱硬化性樹脂１４０ａ及び半田粒子１４０ｂが溶融すると、流動性を帯びた熱硬化性樹脂１４０ａ中で、半田粒子１４０ｂは、金属からなる配線部１１３の端部１１３ｓと接続電極１３３との間に自己凝集して金属結合する。これによって、液晶パネル１１０の配線部１１３の端部１１３ｓと電子部品１３０の接続電極１３３とが、溶融して凝集した多数の半田粒子１４０ｂからなる半田金属（半田接合部）Ｈによって半田付けされる。また、液晶パネル１１０の外周端面１１０ｓと電子部品１３０の配線基板１３１との間において、半田金属Ｈが形成される部分以外には、溶融した熱硬化性樹脂１４０ａが集まり、これによって、熱硬化性樹脂１４０ａからなる絶縁樹脂（樹脂接着部）Ｐが形成される。
このような熱圧着後、放冷することで、液晶パネル１１０の外周端面１１０ｓへの電子部品１３０の接合が完了する。
また、上記のような熱圧着による自己凝集半田１４０の加熱および加圧過程で、仮接合材１６１は、仮接合材１６１の融点以上に加熱されて溶融した後、放冷によって硬化する。このとき、融点以上に加熱された仮接合材１６１は、熱硬化して、電子部品１３０と液晶パネル１１０の外周端面１１０ｓとの接合状態を維持している。
【００６５】
このようにして、図１０、図１１に示すように、液晶パネル１１０の外周端面１１０ｓに露出した配線部１１３の端部１１３ｓと、電子部品１３０の配線基板１３１に形成された接続電極１３３とが、自己凝集半田１４０の半田金属Ｈによって選択的に金属結合され、電気的に接合される。
また、液晶パネル１１０の外周端面１１０ｓと、電子部品１３０の配線基板１３１とは、半田金属Ｈによる金属結合と、絶縁樹脂Ｐによる接着とによって、機械的に接合される。
このようにして、半田金属Ｈと絶縁樹脂Ｐによって機械的に接合された液晶パネル１１０の外周端面１１０ｓと電子部品１３０の配線基板１３１とは、例えば５００ｇ／ｃｍ以上の引張強度を有する。
また、電子部品１３０の配線基板１３１と液晶パネル１１０の外周端面１１０ｓとは、仮接合材１６１が硬化することによって形成される樹脂接合部１６０によっても、機械的に接合される。
【００６６】
ここで、液晶パネル１１０の外周端面１１０ｓに設けられた配線部１１３の端部１１３ｓと、電子部品１３０の配線基板１３１に形成された接続電極１３３との間に形成される半田金属Ｈの厚さは、例えば、２０μｍ以下とするのが好ましい。
また、液晶パネル１１０の外周端面１１０ｓに設けられた配線部１１３の端部１１３ｓ、電子部品１３０の配線基板１３１に形成された接続電極１３３の電極ピッチは、１０〜１００μｍとすることができる。
【００６７】
このようにして電子部品１３０が実装された液晶パネル１１０の外周部には、ディスプレイ装置１００Ｂの外枠を形成するベゼル１５０が設けられている。ベゼル１５０は、液晶パネル１１０の外周端面１１０ｓの外周側に位置する側板部１５０ａと、側板部１５０ａの一端から液晶パネル１１０の内側に向けて延び、液晶パネル１１０の表示面１１０ｆの外周部に沿う前板部１５０ｂと、を少なくとも備える。電子部品１３０は、このようなベゼル１５０の側板部１５０ａと液晶パネル１１０の外周端面１１０ｓとの間に収められている。
ここで、上記したように、液晶パネル１１０の外周端面１１０ｓと電子部品１３０の配線基板１３１とが接合されることで、ベゼル１５０は、その幅ｗを小さくすることができる。すなわち、ディスプレイ装置１００Ｂは、ベゼル１５０の幅ｗが小さい狭額縁のものとすることができる。
【００６８】
さらに、上記したような狭額縁のディスプレイ装置１００Ｂを複数用いることで、図８に示すように、ディスプレイシステム１を構成することができる。このディスプレイシステム１は、複数のディスプレイ装置１００Ｂを、上下方向及び横方向に隣接させて並設したもので、これら複数のディスプレイ装置１００Ｂによって形成される表示領域Ａに、画像や映像を表示する。
このようなディスプレイシステム１は、各ディスプレイ装置１００Ｂが狭額縁であるため、上下方向又は横方向で互いに隣り合うディスプレイ装置１００Ｂ同士の隙間を狭くでき、表示領域Ａにおいて、違和感の少ない画像や映像の表示を行うことが可能となる。
【００６９】
上述したような電子部品１３０の実装方法によれば、互いに対向配置した第一基板１１１，第二基板１１２、および第一基板１１１，第二基板１１２の間に設けられた配線部１１３を有した液晶パネル１１０の外周端面１１０ｓに、電子部品１３０の接続電極１３３を対向させた状態で、電子部品１３０の接続電極１３３と配線部１１３の端部１１３ｓとの間に、熱硬化性樹脂１４０ａと半田粒子１４０ｂとを含んだ自己凝集半田１４０を介在させるとともに、液晶パネル１１０の外周端面１１０ｓと電子部品１３０との間に、自己凝集半田１４０を構成する半田粒子１４０ｂよりも融点の低い材料からなる仮接合材１６１を介在させる工程と、半田粒子１４０ｂの融点よりも低く、仮接合材１６１の融点よりも低い温度で仮接合材１６１を軟化して電子部品１３０と液晶パネル１１０の外周端面１１０ｓとを仮接合する工程と、自己凝集半田１４０および仮接合材１６１を加熱しつつ、接続電極１３３と端部１１３ｓとを互いに接近する方向に加圧して接合する工程と、を備える。
このような構成によれば、自己凝集半田１４０による半田付けに先立ち、仮接合材１６１によって電子部品１３０と液晶パネル１１０の外周端面１１０ｓとを仮接合するので、電子部品１３０の接続電極１３３と配線部１１３の端部１１３ｓとを、高い精度で位置合わせすることができる。
このように、仮接合材１６１によって電子部品１３０と液晶パネル１１０とを仮接合した後に、自己凝集半田１４０による接合を行うことで、電子部品１３０と液晶パネル１１０との接合作業を効率よく行うことができる。
また、仮接合材１６１による仮接合を行った後、自己凝集半田１４０による接合前であれば、再度加熱を行って仮接合材１６１を軟化させることで、電子部品１３０の接続電極１３３と配線部１１３の端部１１３ｓとの位置合わせをやり直すことができる。
【００７０】
また、電子部品１３０の接続電極１３３と配線部１１３の端部１１３ｓとの間には、自己凝集半田１４０を構成する半田粒子１４０ｂが凝集して半田付けがなされる。これによって、異方性導電膜を用いる場合に比較し、電子部品１３０の接続電極１３３と配線部１１３の端部１１３ｓとの間に介在する導電性材料の量が多くなり、電子部品１３０の接続電極１３３と配線部１１３の端部１１３ｓとの間の接続抵抗が高くなるのを抑えることができる。
また、電子部品１３０と液晶パネル１１０の外周端面１１０ｓとは、自己凝集半田１４０の半田粒子１４０ｂからなる半田金属Ｈによる金属結合と、熱硬化性樹脂１４０ａからなる絶縁樹脂Ｐによる接着とによって、機械的に接合されている。さらに、自己凝集半田１４０の周囲において、電子部品１３０と液晶パネル１１０の外周端面１１０ｓとが、樹脂接合部１６０（仮接合材１６１）によっても接合される。したがって、電子部品１３０と液晶パネル１１０とを強固に接合することが可能となる。
【００７１】
また、基板側配線接続部を、第一基板１１１，第二基板１１２の間に露出した配線部１１３の端部１１３ｓとしたので、上記第１の実施形態に比較し、接合パッド２００を設ける必要が無くなる。これによって、接合パッド２００を形成する工程を削減し、作業の効率化、製作コストの低減化を図ることができる。
【００７２】
また、上述したような電子部品１３０の接合構造、液晶パネル１１０、ディスプレイ装置１００Ａ、ディスプレイシステム１によれば、互いに対向配置された第一基板１１１，第二基板１１２、および第一基板１１１，第二基板１１２の間に設けられた配線部１１３を有した液晶パネル１１０と、液晶パネル１１０の外周端面１１０ｓに接続電極１３３が対向配置された電子部品１３０と、液晶パネル１１０の外周端面１１０ｓと電子部品１３０とを接合する接合部Ｊと、を備え、この接合部Ｊは、配線部１１３の端部１１３ｓと接続電極１３３との間に介在する半田金属Ｈと、半田金属Ｈ以外の部分において液晶パネル１１０の外周端面１１０ｓと電子部品１３０とを接着する絶縁樹脂Ｐと、液晶パネル１１０の外周端面１１０ｓと電子部品１３０との間に、半田金属Ｈよりも融点の低い材料からなる樹脂接合部１６０と、を備える。
このような構成によれば、電子部品１３０を液晶パネル１１０の外周端面１１０ｓに強固に接合しつつ、電気導通性を高めて接続抵抗を抑えることが可能となる。
【００７３】
（その他の実施形態）
なお、本発明は、図面を参照して説明した上述の各実施形態に限定されるものではなく、その技術的範囲において様々な変形例が考えられる。
例えば、上記各実施形態において、仮接合材１６１を液晶パネル１１０の外周端面１１０ｓに設けるようにしたが、電子部品１３０側に設けてもよいし、液晶パネル１１０の外周端面１１０ｓと電子部品１３０の双方に設けてもよい。
また、上記各実施形態で示した電子部品１３０の実装方法、電子部品１３０の接合構造は、ディスプレイ装置１００Ａ、１００Ｂ以外にも、各種の電子デバイス等の基板装置にも適用することができる。
また、ディスプレイ装置１００Ａ、１００Ｂは、液晶表示装置に限るものではなく、有機発光ダイオード表示装置、プラズマディスプレイパネル表示装置等にも、本発明を同様に適用することができる。
これ以外にも、本発明の主旨を逸脱しない限り、上記実施の形態で挙げた構成を取捨選択したり、他の構成に適宜変更したりすることが可能である。
【符号の説明】
【００７４】
１  ディスプレイシステム
１００Ａ、１００Ｂ  ディスプレイ装置
１１０  液晶パネル（基板積層体、基板装置）
１１０ｓ  外周端面
１１１  第一基板（基板）
１１１ｓ  外周端面
１１２  第二基板（基板）
１１２ｓ  外周端面
１１３  配線部（配線）
１１３ｅ  端部
１１３ｓ  端部（基板側配線接続部）
１３０  電子部品
１３１  配線基板（フィルム状基板）
１３２  チップ部品
１３３  接続電極（電子部品側配線接続部）
１４０  自己凝集半田
１４０ａ  熱硬化性樹脂
１４０ｂ  半田粒子
２００  接合パッド（基板側配線接続部）
１６０  樹脂接合部（低融点接合部）
１６１  仮接合材
Ｈ  半田金属（半田接合部）
Ｐ  絶縁樹脂（樹脂接着部）
【図１】
2018056278.tif 000003
【図２】
2018056278.tif 000004
【図３】
2018056278.tif 000005
【図４】
2018056278.tif 000006
【図５】
2018056278.tif 000007
【図６】
2018056278.tif 000008
【図７】
2018056278.tif 000009
【図８】
2018056278.tif 000010
【図９】
2018056278.tif 000011
【図１０】
2018056278.tif 000012
【図１１】
2018056278.tif 000013
【図１２】
2018056278.tif 000014